(57)【特許請求の範囲】
【請求項１】
筒状ケーシングの上部にワイヤグリップ体の頭部突出用孔を、筒状ケーシングの開口下部にねじ部をそれぞれ設け、ワイヤグリップ体の下部にはばね受けフランジを有する調整ねじを螺合し、筒状ケーシングの内部にワイヤグリップ体を囲繞するスプリングをワイヤグリップ体の調整ねじのばね受けフランジで支承して挿入するとともに、ワイヤグリップ体の頭部を頭部突出用孔から突出させ、筒状ケーシングの下部のねじ部にはフック付き止め螺子を螺合してワイヤグリップ体を支承したたことを特徴とするワイヤ張装具。
【請求項２】
請求項１において、フック付き止め螺子を、下部に止め螺子挿入孔を有する係止部付き止め螺子としたワイヤ張装具。
【請求項３】
ワイヤグリップ体の頭部に安全キャップを螺合した請求項１又は２記載のワイヤ張装具。
【発明の詳細な説明】
【０００１】
【発明の属する技術分野】
本発明は、天井などから吊るされたワイヤに接続され、スクリーン、額縁、又は棚板などの物品を懸吊支持するワイヤ張装具に関するものである。
【０００２】
【従来の技術】
従来のワイヤ張装具は、実公平２−１６７０２号や３−１１８０５３号公報などに開示されている。これらの公報に開示されたワイヤ張装具は、図示しないが、物品接続用の筒状ケーシングに内筒を嵌入してその内周面上部に上部に向かうほど狭くなるテーパガイドを形成し、内筒および筒状ケーシングにワイヤグリップ体を押し下げばねを介して挿入して筒状ケーシングの開口上部からワイヤグリップ体の頭部を突出させ、ワイヤグリップ体の下部に調整支持ふたを押し上げばねを介して嵌入してワイヤグリップ体を上部に弾圧付勢するとともに、ワイヤグリップ体の周壁の複数の保持孔にはテーパガイド面との接触で内方向に変位してワイヤを拘束するワイヤ拘束球をそれぞれクリアランスを介して嵌入し、筒状ケーシングの開口下部にはふたを螺着するようにしている。
【０００３】
このように構成されたワイヤ張装具は、天井などから吊るされたワイヤにワイヤグリップ体が差し通して接続され、物品に筒状ケーシングが接続されることで、スクリーン、額縁、又は棚板などの物品を支持する。
【０００４】
【発明が解決しようとする課題】
従来のワイヤ張装具は、以上のようにワイヤの接続や物品の支持具合などが考慮されていたが、耐震性については全く考慮されていなかった。したがって、地震などで上下方向に揺れが生じると、ワイヤが簡単に切れ、物品の落下や破損を招くという問題があった。さらに、部品点数が多いので、組み立てや構成が複雑化したり、煩雑化するという問題があった。
【０００５】
本発明は、上記問題に鑑みてなされたもので、上下動が生じてもワイヤが簡単に切れることがなく、しかも、部品点数を削減して組み立てや構成の複雑化や煩雑化を防止することのできるワイヤ張装具を提供することを目的としている。
【０００６】
【課題を解決するための手段】
本発明においては、上記目的を達成するため、筒状ケーシングの上部にワイヤグリップ体の頭部突出用孔を、筒状ケーシングの開口下部にねじ部をそれぞれ設け、ワイヤグリップ体の下部にはばね受けフランジを有する調整ねじを螺合し、筒状ケーシングの内部にワイヤグリップ体を囲繞するスプリングをワイヤグリップ体の調整ねじのばね受けフランジで支承して挿入するとともに、ワイヤグリップ体の頭部を頭部突出用孔から突出させ、筒状ケーシングの下部のねじ部にはフック付き止め螺子を螺合してワイヤグリップ体を支承するようにしている。
なお、フック付き止め螺子を、下部に止め螺子挿入孔を有する係止部付き止め螺子とすることが好ましい。
また、ワイヤグリップ体の頭部に安全キャップを螺合することが望ましい。
【０００７】
上記構成を有する発明によれば、地震などで上下方向に揺れると、スプリングが上下に撓んでワイヤグリップ体のワイヤをグリップする部分に作用する衝撃力を軽減する。また、ワイヤグリップ体の調整ねじのばね受けフランジがスプリングを支持するので、スプリング用の支持部材を省略して部品点数を削減することができる。
また、請求項２記載の発明によれば、係止部付き止め螺子の止め螺子挿入孔に床係止金具などをセットし、緊張ワイヤに物品を吊り下げることができる。
さらに、請求項３記載の発明によれば、安全キャップは、ワイヤグリップ体における不意のワイヤグリップ解除を防止することができる。
【０００８】
【発明の実施の形態】
以下、本発明の実施の形態を図面を参照して説明する。
この実施の形態におけるワイヤ張装具は、図１に示すごとく、筒状ケーシング１の上部に頭部突出用孔３を、下部にはねじ部２をそれぞれ設け、ワイヤグリップ体４の下部にはばね受けフランジ１６を備えた調整ねじ１５を位置させ、筒状ケーシング１に調整ねじ１５のばね受けフランジ１６を介してスプリング１７とワイヤグリップ体４をそれぞれ内蔵するとともに、筒状ケーシング１のねじ部２にはフック付き止め螺子２０を着脱自在に螺合するようにしている。
【０００９】
筒状ケーシング１は、基本的には円筒形に形成され、その内周面下部にはねじ部２が形成されており、上面が閉塞されるとともに、この上面の中心部にはワイヤグリップ体４用の頭部突出用孔３が貫通して穿設されている。なお、筒状ケーシング１の長さや太さなどは適宜変更することができる。
【００１０】
また、ワイヤグリップ体４は、その中央部が拡径に膨らんだほぼ円筒形に形成され、周壁の中央部には複数 (本実施形態では３個) の保持孔５が周方向に間隔をおいて穿設されており、ワイヤ拘束球７が若干のクリアランスを介してそれぞれ嵌入されるとともに、傾斜周壁の外側に突出しており、テーパガイド面１４を備えた筒状ケース１２内に挿入され、かつ押し上げばね１９をばね受けフランジ１６を有する調整ねじ１５を螺合して構成されている。また、ワイヤグリップ体４の頭部には安全キャップ９が螺合されている。
【００１１】
フック付き止め螺子２０は、その下部周縁から下方に向けて物品吊り上げ用のフック２１が一体的に伸長形成され、脱落防止金具２２がねじりずらして取り付けられており、フック２１の入口部に接触するよう付勢されている。フック付き止め螺子２０は、外周面には筒状ケーシング１のねじ部２と螺合するねじ溝２３が形成され、中心部には調整ねじ１５の中空部と連通するワイヤ６用の貫通孔２４が穿設されている。このように構成されたフック付き止め螺子２０は、筒状ケーシング１のねじ部２にねじ締めされて調整ねじ１５を支承する。
【００１２】
本願発明のワイヤ張装具を組み立てるには、ワイヤグリップ体４にスプリング１７を囲繞してばね受けフランジ１６で支承し、これを筒状ケーシング１内に挿入してフック付き止め螺子２０を螺合し、その螺合程度によってスプリング１７の圧縮力を加減調節する。
【００１３】
なお、本実施形態ではフック付き止め螺子２０にフック２１を一体的に構成したものを示したが、図２ (ａ) ， (ｂ) に示すごとく、止め螺子２０にフック２１をリベット着けしたものでもよい。また、図３に示すように、フック付き止め螺子２０を、下部に止め螺子挿入孔２６を有する係止部付き止め螺子２０とし、止め螺子挿入孔２６に例えば吊下金具をボルト、リベット等で取り付け、これに物品を吊り下げることもできる。
【００１４】
吊下状態で地震などが発生し、上下動が発生した場合には、先ず、ワイヤ６が上下方向に移動し、物品２７が時間的な遅れを生じるため、スプリング１７が上下に伸縮して複数のワイヤ拘束球７およびワイヤ６の挟持拘束部分に作用する衝撃力を吸収緩和する。したがって、地震などで上下左右方向に上下動が生じても、ワイヤ６が簡単に切れることがなく、物品２７の落下や破損を防止することが可能となる。また、調整ねじ１５のばね受けフランジ１６がダンパ用のスプリング１７を支承するので、スプリング１７用の支持部材の省略を通じて部品点数を削減でき、これを通じて組み立てや構成の著しい簡素化や容易化などが期待できる。また、脱落防止金具２２がねじって取り付けられ、フック２１に接触して物品２７の脱落を防止するので、物品２７の落下や破損を確実に防止することが可能となる。
【００１５】
【発明の効果】
以上のように本発明によれば、地震により上下動が生じてもワイヤが簡単に切れることがなく、吊るしている物品の損傷などを防止することができるという格別の効果がある。また、部品点数を削減して組み立てや構成の複雑化や煩雑化を防止することができる。
また、請求項２記載の発明によれば、係止部付き止め螺子の止め螺子挿入孔に床係止金具などを必要に応じてセットすることができる。
さらに、請求項３記載の発明によれば、ワイヤがワイヤグリップ体から不意に解除されることがないから、地震の際にも安全である。
【図面の簡単な説明】
【図１】本発明に係るワイヤ張装具の実施の形態を示す断面説明図である。
【図２】   (ａ) は本発明に係るワイヤ張装具の他の実施の形態を示す正面図、 (ｂ) はその断面説明図である。
【図３】本発明に係るワイヤ張装具の他の実施の形態を示す断面説明図である。
【符号の説明】
１…筒状ケーシング
２…ねじ部
３…頭部突出用孔
４…ワイヤグリップ体
５…保持孔
６…ワイヤ
７…ワイヤ拘束球
８…ねじ溝
９…安全キャップ
１０…ねじ
１１…ワイヤ貫通孔
１２…筒状ケース
１３…ねじ溝
１４…テーパガイド面
１５…調整ねじ
１６…ばね受けフランジ
１７…スプリング
１８…ねじ
１９…押し上げばね
２０…フック付き止め螺子、係止部付き止め螺子
２１…フック
２２…脱落防止金具
２３…ねじ溝
２４…貫通孔
２６…止め螺子挿入孔
２７…物品
【図１】
0003650452.tif 000002
【図２】
0003650452.tif 000003
【図３】
0003650452.tif 000004